(57)【要約】【課題】天井裏空間をダクトの代用として用いても、１台の空調機で両ラック列の前方の天井に設けられた吹出口から空調空気を吹き出すことが可能なデータセンタを提供する。【解決手段】天井裏空間３１には、排気口２６から回収した空気を空調機３０に導く熱気通路３２と、熱気通路３２を挟むように区画され、空調機３０からの空調空気を吹出口２７に導く複数の空調空気通路３３と、が区画形成され、熱気通路３２及び複数の空調空気通路３３の空調機３０側には、天井裏空間３１を上下に区画して、熱気通路３２が接続され、熱気通路３２からの空気を空調機３０に導く熱気ヘッダ部３４と、熱気ヘッダ部３４の下方であって、複数の空調空気通路３３が接続され、空調機３０からの空調空気を複数の空調空気通路３３に分配する空調空気ヘッダ部３５と、が区画形成される。【選択図】図２
2012017934.tif 000002
【特許請求の範囲】
【請求項１】
少なくとも、空調室と、該空調室の床面上にサーバなどの電子機器を多段に収容するラックを複数台左右方向に並べ形成されたラック列と、前記ラック内に収容された電子機器で発生する熱を除去すべく前記空調室内を空調する空調機とを備え、
前記ラック列の背面同士を間隔をおいて向かい合わせて前記空調室内の床面上に配置し、その向かい合わせたラック列の左右方向の端部側に、ラック列の下縁から前記空調室の天井に延びるパネルを設けると共に、両ラック列の前縁上部に天井に延びるパーティションを設けて、前記空調室内にホットゾーンを区画し、そのホットゾーン内の天井にホットゾーンの熱を排気する排気口を形成すると共に、前記ホットゾーンの外部であって前記両ラック列の前方の天井に前記空調機からの空調空気を吹き出す吹出口をそれぞれ形成し、該吹出口から吹き出した空調空気をラック列の前面から背面に通してホットゾーンに導入するようにしたデータセンタにおいて、
前記排気口は、前記ホットゾーンと前記空調室の天井の上方空間である天井裏空間とを連通するように形成され、
前記吹出口は、前記空調室と前記天井裏空間とを連通するように形成され、
前記天井裏空間には、
前記排気口から回収した空気を前記空調機に導く熱気通路と、
前記熱気通路を挟むように区画され、前記空調機からの空調空気を前記吹出口に導く複数の空調空気通路と、が区画形成され、
前記熱気通路及び前記複数の空調空気通路の前記空調機側には、
前記天井裏空間を上下に区画して、
前記熱気通路が接続され、前記熱気通路からの空気を前記空調機に導く熱気ヘッダ部と、
前記熱気ヘッダ部の下方であって、前記複数の空調空気通路が接続され、前記空調機からの空調空気を前記複数の空調空気通路に分配する空調空気ヘッダ部と、が区画形成される
ことを特徴とするデータセンタ。
【請求項２】
前記空調室内に、前記ホットゾーンを複数区画し、
前記天井裏空間に、複数の前記ホットゾーンに対応した複数の前記熱気通路を区画形成すると共に、当該複数の熱気通路を前記熱気ヘッダ部に接続するようにした
請求項１記載のデータセンタ。
【請求項３】
前記空調室の天井は、断熱構造の天井材からなり、
前記熱気通路と、前記空調空気通路と、前記熱気ヘッダ部と、前記空調空気ヘッダ部とは、断熱構造の仕切板を用いて区画形成される
請求項１または２記載のデータセンタ。
【請求項４】
前記空調機は、その空調空気吹出口が前記空調空気ヘッダ部と同レベルとなるように設けられる請求項１〜３いずれかに記載のデータセンタ。
【請求項５】
前記吹出口のそれぞれに前記空調室に空調空気を吹き出すためのファンを設け、
前記空調機として、ファンを有さないファンレスの空調機を用いるようにした
請求項１〜４いずれかに記載のデータセンタ。
【請求項６】
前記熱気通路には、前記排気口から回収した空気を前記空調機側に送風するための補助ファンが設けられる請求項１〜５いずれかに記載のデータセンタ。
【発明の詳細な説明】
【技術分野】
【０００１】
本発明は、ラック内に収容されたサーバなどの電子機器で発生する熱を効率よく除去するデータセンタに係り、天井裏空間をダクトの代用として用いたデータセンタに関するものである。
【背景技術】
【０００２】
近年、データセンタは非常に注目されている分野であり、省エネルギー技術の研究開発も盛んである。
【０００３】
従来のデータセンタとして、特許文献１に示すように、空調室と、空調室の床面上にサーバなどの電子機器を多段に収容するラックを複数台左右方向に並べ形成されたラック列と、ラック内に収容された電子機器で発生する熱を除去すべく空調室内を空調する空調機とを備えたデータセンタがある。
【０００４】
特許文献１のデータセンタでは、ラック列の背面同士を間隔をおいて向かい合わせて空調室内の床面上に配置し、その向かい合わせたラック列の左右方向の端部側に、ラック列の下縁から空調室の天井に延びるパネルを設けると共に、両ラック列の前縁上部に天井に延びるパーティションを設けて、空調室内にホットゾーンを区画し、そのホットゾーン内の天井にホットゾーンの熱を排気する排気口を形成すると共に、ホットゾーンの外部であって両ラック列の前方の天井に空調機からの空調空気を吹き出す吹出口をそれぞれ形成し、吹出口から吹き出した空調空気をラック列の前面から背面に通してホットゾーンに導入するようにしている。
【０００５】
このデータセンタでは、電子機器で発生する熱を全てホットゾーンに集中させるため、空調機を効率良く作動させて空調機での消費エネルギーを低減することが可能であり、さらには、ホットゾーン内の熱を自然対流の原理で排気口から回収し、空調機からの空調空気を自然対流の原理で吹出口からラック列に対して供給できるため、空調機での消費エネルギーのさらなる低減が可能であり、省エネルギーの観点で非常に有利である。
【０００６】
ところで、上述のデータセンタでは、排気口から回収した空気を排気ダクトにより空調機に導き、また、空調機からの空調空気を吹出ダクトにより吹出口に導くようになっている。これら排気ダクトと吹出ダクトは、空調室の天井の上方空間である天井裏空間に配設されるのが一般的である。
【０００７】
しかし、天井の低い（天井裏空間の小さい）建物においては、天井裏空間に排気ダクトや吹出ダクトを配設できない場合がある。
【０００８】
このような場合、例えば特許文献２に示されるように、ダクトを使用せず、天井裏空間をダクトの代用として用いることが考えられる。
【先行技術文献】
【特許文献】
【０００９】
【特許文献１】特開２０１０−７２６９７号公報
【特許文献２】特開２００２−８９９１９号公報
【発明の概要】
【発明が解決しようとする課題】
【００１０】
特許文献１のデータセンタでは、天井に排気口と吹出口の両者が設けられているので、天井裏空間をダクトの代用として用いるためには、天井裏空間を区画（分割）する必要がある。
【００１１】
しかしながら、特許文献１のデータセンタでは、ホットゾーン内の天井に排気口が設けられ、両ラック列の前方の天井に吹出口がそれぞれ設けられている（つまりホットゾーンを挟むように吹出口が設けられている）ため、天井裏空間を単純に区画すると、排気口から回収した空気を通す領域（熱気通路）を挟むように、空調機からの空調空気を通す領域（空調空気通路）が区画形成されることとなってしまう。このため、両ラック列の前方の天井に設けられた吹出口から空調空気を吹き出すためには、２つの空調空気通路に対応して２台の空調機を設ける必要があり、設備コストが高くなってしまうという問題があった。
【００１２】
本発明は、上記事情に鑑み為されたもので、ラック列の背面同士を向かい合わせて空調室内にホットゾーンを区画し、ホットゾーン内の天井に排気口を、両ラック列の前方の天井に吹出口をそれぞれ設けたデータセンタにおいて、天井裏空間をダクトの代用として用いても、１台の空調機で両ラック列の前方の天井に設けられた吹出口から空調空気を吹き出すことが可能なデータセンタを提供することを目的とする。
【課題を解決するための手段】
【００１３】
本発明は上記目的を達成するために創案されたものであり、少なくとも、空調室と、該空調室の床面上にサーバなどの電子機器を多段に収容するラックを複数台左右方向に並べ形成されたラック列と、前記ラック内に収容された電子機器で発生する熱を除去すべく前記空調室内を空調する空調機とを備え、前記ラック列の背面同士を間隔をおいて向かい合わせて前記空調室内の床面上に配置し、その向かい合わせたラック列の左右方向の端部側に、ラック列の下縁から前記空調室の天井に延びるパネルを設けると共に、両ラック列の前縁上部に天井に延びるパーティションを設けて、前記空調室内にホットゾーンを区画し、そのホットゾーン内の天井にホットゾーンの熱を排気する排気口を形成すると共に、前記ホットゾーンの外部であって前記両ラック列の前方の天井に前記空調機からの空調空気を吹き出す吹出口をそれぞれ形成し、該吹出口から吹き出した空調空気をラック列の前面から背面に通してホットゾーンに導入するようにしたデータセンタにおいて、前記排気口は、前記ホットゾーンと前記空調室の天井の上方空間である天井裏空間とを連通するように形成され、前記吹出口は、前記空調室と前記天井裏空間とを連通するように形成され、前記天井裏空間には、前記排気口から回収した空気を前記空調機に導く熱気通路と、前記熱気通路を挟むように区画され、前記空調機からの空調空気を前記吹出口に導く複数の空調空気通路と、が区画形成され、前記熱気通路及び前記複数の空調空気通路の前記空調機側には、前記天井裏空間を上下に区画して、前記熱気通路が接続され、前記熱気通路からの空気を前記空調機に導く熱気ヘッダ部と、前記熱気ヘッダ部の下方であって、前記複数の空調空気通路が接続され、前記空調機からの空調空気を前記複数の空調空気通路に分配する空調空気ヘッダ部と、が区画形成されるデータセンタである。
【００１４】
前記空調室内に、前記ホットゾーンを複数区画し、前記天井裏空間に、複数の前記ホットゾーンに対応した複数の前記熱気通路を区画形成すると共に、当該複数の熱気通路を前記熱気ヘッダ部に接続するようにしてもよい。
【００１５】
前記空調室の天井は、断熱構造の天井材からなり、前記熱気通路と、前記空調空気通路と、前記熱気ヘッダ部と、前記空調空気ヘッダ部とは、断熱構造の仕切板を用いて区画形成されてもよい。
【００１６】
前記空調機は、その空調空気吹出口が前記空調空気ヘッダ部と同レベルとなるように設けられてもよい。
【００１７】
前記吹出口のそれぞれに前記空調室に空調空気を吹き出すためのファンを設け、前記空調機として、ファンを有さないファンレスの空調機を用いるようにしてもよい。
【００１８】
前記熱気通路には、前記排気口から回収した空気を前記空調機側に送風するための補助ファンが設けられてもよい。
【発明の効果】
【００１９】
本発明によれば、天井裏空間をダクトの代用として用いても、１台の空調機で両ラック列の前方の天井に設けられた吹出口から空調空気を吹き出すことが可能なデータセンタを提供できる。
【００２０】
また、本発明によれば、自然対流を利用してホットゾーン内の熱気を回収でき、熱気を回収しやすい。
【図面の簡単な説明】
【００２１】
【図１】本発明の一実施の形態に係るデータセンタの平面図である。
【図２】（ａ）は図１のＡ−Ａ線断面図、（ｂ）は図１のＢ−Ｂ線断面図である。
【図３】（ａ）は図１のＣ−Ｃ線断面図、（ｂ）は図１のＤ−Ｄ線断面図である。
【図４】図１のデータセンタの天井裏空間における仕切板の配置を説明する図である。
【図５】本発明の他の実施の形態に係るデータセンタの平面図である。
【図６】（ａ）は図５のＥ−Ｅ線断面図、（ｂ）は図５のＦ−Ｆ線断面図である。
【発明を実施するための形態】
【００２２】
以下、本発明の好適な実施の形態を添付図面にしたがって説明する。
【００２３】
図１は、本実施の形態に係るデータセンタの平面図であり、図２（ａ）はそのＡ−Ａ線断面図、図２（ｂ）はそのＢ−Ｂ線断面図、図３（ａ）はそのＣ−Ｃ線断面図、図３（ｂ）はそのＤ−Ｄ線断面図である。
【００２４】
図１〜３に示すように、データセンタ１０は、少なくとも、天井２０、床面１４、及び４つの側壁２８で形成された箱状の空調室１３と、サーバなどの電子機器１１を多段に収容する複数台のラック１２を左右方向に並べ形成されたラック列１５と、ラック１２内に収容された電子機器１１で発生する熱を除去すべく空調室１３内を空調する空調機３０とを備える。
【００２５】
ラック１２内には、サーバや、ＣＰＵ、ネットワーク機器、ストレージデバイスのような情報通信技術の設備機器である電子機器１１が多段に収容される。
【００２６】
データセンタ１０では、空調室１３の床面１４上にラック１２を複数台（本実施の形態では１４台）左右方向に並べてラック列１５を形成すると共に、そのラック列１５の背面Ｒ同士を間隔をおいて向かい合わせて配置している。ラック列１５を間隔をおいて配置することで、ラック列１５間には作業通路１６が形成される。
【００２７】
これらラック列１５は、床面１４上に免震装置１７を介して配置される。本実施の形態では、免震装置１７として、架台１８上にベアリングを介して免震台１９を設けたものを用いたが、これに限定されるものではない。
【００２８】
ラック列１５の左右には、ラック列１５の下縁から天井２０に延びるパネル２１が設けられる。このパネル２１には、作業通路１６に出入するための扉２２が設けられる。パネル２１は、免震装置１７上に設けられる。
【００２９】
各ラック列１５の前縁上部には、天井２０に延びるパーティション２３が設けられる。パーティション２３およびパネル２１の上端は、天井２０に対して移動可能に設けられる。
【００３０】
パネル２１とパーティション２３の上端には、図３（ａ）に示すように、ホットゾーン２４と空調室１３とをシールするための天井シール部材２５が設けられる。本実施の形態では、天井シール部材２５としてゴムシートを用い、そのゴムシートをパーティション２３のホットゾーン２４側の上端に、その上端部がホットゾーン２４側に湾曲するようにボルトなどで固定した。
【００３１】
これにより、両ラック列１５、パーティション２３、およびパネル２１で空調室１３と仕切られたホットゾーン２４が区画形成される。
【００３２】
ホットゾーン２４内の天井２０には、ホットゾーン２４内の熱を排気する排気口２６が形成される。本実施の形態では、ラック列１５における２台のラック１２ごと（対向配置された４台のラック１２ごと）に１つの排気口２６を形成し、合計７つの排気口２６を、ラック列１５におけるラック１２の配列方向に整列して、ホットゾーン２４内の天井２０に形成した。
【００３３】
各排気口２６は、ホットゾーン２４と天井裏空間３１とを連通するように形成される。なお、天井裏空間３１とは、空調室１３の天井２０の上方空間であり、天井２０と、空調室１３が設けられる建物における空調室１３の上の階の床（あるいは屋上；以下、天井裏空間３１の上壁３７と呼称する）との間の空間である。
【００３４】
ホットゾーン２４の外部であって両ラック列１５の前方の天井２０には、空調機からの空調空気（冷風）を吹き出す吹出口２７が形成される。本実施の形態では、ラック列１５における２台のラック１２ごとに１つの吹出口２７を形成し、両ラック列１５の前方の天井２０に７つずつ吹出口２７を、ホットゾーン２４を挟むように、ラック列１５におけるラック１２の配列方向に整列して形成した。各吹出口２７は、空調室１３と天井裏空間３１とを連通するように形成される。
【００３５】
さて、本実施の形態に係るデータセンタ１０では、天井裏空間３１には、排気口２６から回収した空気を空調機３０に導く熱気通路３２と、熱気通路３２を挟むように区画され、空調機３０からの空調空気を吹出口２７に導く複数の空調空気通路３３と、が区画形成され、かつ、熱気通路３２及び複数の空調空気通路３３の空調機３０側（図１，２では左側）であって、天井裏空間３１には、天井裏空間３１を上下に区画して、熱気通路３２が接続され、熱気通路３２からの空気を空調機３０に導く熱気ヘッダ部３４と、熱気ヘッダ部３４の下方に区画され、複数の空調空気通路３３が接続され、空調機３０からの空調空気を複数の空調空気通路３３に分配する空調空気ヘッダ部３５と、が区画形成される。
【００３６】
図２〜４に示すように、熱気通路３２、空調空気通路３３、熱気ヘッダ部３４、空調空気ヘッダ部３５は、仕切板３６ａ〜３６ｃにより天井裏空間３１を仕切ることにより、区画形成される。
【００３７】
熱気通路３２と空調空気通路３３とは、ラック列１５におけるラック１２の配列方向（図４では左右方向）に延びる２枚の第１の仕切板３６ａを用い、天井裏空間３１を水平方向に仕切ることで、区画形成される。２枚の第１の仕切板３６ａで挟まれた領域が熱気通路３２となり、２枚の第１の仕切板３６ａの外側の領域（第１の仕切板３６ａと側壁２８とで挟まれた領域）が空調空気通路３３となる。熱気通路３２と空調空気通路３３の幅（図４における左手前から右奥の方向の幅）は、略同じか、熱気通路３２の幅の方が若干大きくなるように設定するとよい。詳細は後述するが、本実施の形態では、吹出口２７に設けたファン４３により空調空気を吸引するので、ファン４３からより離れた熱気通路３２の幅を空調空気通路３２の幅と同じか若干広くすることで、熱気通路３２における空気が流れる際の抵抗を少なくし、空気の循環をよりスムーズにすることができる。
【００３８】
熱気ヘッダ部３４と空調空気ヘッダ部３５とは、ラック列１５におけるラック１２の配列方向と垂直方向（図４では左手前から右奥の方向）に延びる第２の仕切板３６ｂを用い、空調機３０の近傍の天井裏空間３１を鉛直方向に仕切ることで、区画形成される。第２の仕切板３６ｂの上方の領域が熱気ヘッダ部３４となり、第２の仕切板３６ｂの下方の領域が空調空気ヘッダ部３５となる。熱気ヘッダ部３４と空調空気ヘッダ部３５の高さ（図４における上下方向の高さ）は、上述と同様の理由により、略同じか、熱気ヘッダ部３４の高さの方が若干大きくなるように設定するとよい。
【００３９】
２枚の第１の仕切板３６ａと第２の仕切板３６ｂとの間には、熱気通路３２と空調空気ヘッダ部３５、および空調空気通路３３と熱気ヘッダ部３４を遮断するための第３の仕切板３６ｃが設けられる。
【００４０】
第３の仕切板３６ｃの熱気通路３２と対面する位置には、熱気通路３２と熱気ヘッダ部３４とを連通させるための切欠き状の熱気用連通穴３８が形成される。また、第３の仕切板３６ｃの空調空気通路３３と対面する位置には、空調空気通路３３と空調空気ヘッダ部３５とを連通させるための切欠き状の空調空気用連通穴３９が形成される。
【００４１】
仕切板３６ａ〜３６ｃは、天井２０、天井裏空間３１の上壁３７、および側壁２８に対して気密に固定される。仕切板３６ｂに関しては、天井裏空間３１の上壁３７にアンカーを打ち込むなどして、天井裏空間３１の上壁３７に吊持させるようにしてもよい。
【００４２】
空調室１３の天井２０に用いる天井材、および仕切板３６ａ〜３６ｃとしては、断熱構造のものを用いる。ここでは、天井材と仕切板３６ａ〜３６ｃとして、ウレタンフォームなどの断熱材を２枚の板状部材で挟んだものを用いたが、例えば、空気層を挟んだ２重壁構造のものを用いてもよい。
【００４３】
側壁２８の熱気ヘッダ部３４と対面する位置には、熱気ヘッダ部３４と空調機３０の吸込口とを連通させる熱気吸込開口４０が形成される。また、側壁２８の空調空気ヘッダ部３５と対面する位置には、空調空気ヘッダ部３５と空調機３０の空調空気吹出口とを連通させる空調空気吹出開口４１が形成される。
【００４４】
空調機３０は、ラック１２が配置される空調室１３とは別空間、例えば、データセンタ１０が設けられる建物の別の部屋や通路、あるいは屋外などに設けられる。これにより、ラック１２（ラック列１５）に冷媒などの配管が接続されることがなくなり、空調機とラック１２（ラック列１５）とが完全に切り離される。本実施の形態では、空調機３０を空調室１３の隣の部屋（または通路）４２に設けた。
【００４５】
空調機３０は、その空調空気吹出口が空調空気ヘッダ部３５と略同レベルとなるように、空調室１３の隣の部屋（または通路）４２の上方に設けられる。例えば、空調機３０を隣の部屋４２の床面に配置した場合、空調空気を天井裏空間３１の空調空気ヘッダ部３５まで上昇させるために動力が必要となるが、空調機３０を上方に設けることにより、このような動力が不要となり、より省エネルギー性を高めることが可能になる。また、空調機３０を上方に設けることにより、空調機３０の下方の空間を有効利用することも可能になる。
【００４６】
また、本実施の形態では、吹出口２７のそれぞれに空調室１３に空調空気を吹き出すためのファン４３を設け、空調機１３として、熱気ヘッダ部３４からの空気を冷却して空調空気を吹き出す冷却コイル（ＤＣ；Dry Coil）４５のみを有し、ファンを有さないファンレスの空調機を用いるようにした。各ファン４３の回転数は、対応するラック１２内の発熱量に応じて、適宜な量の空調空気がラック１２に対して供給されるように、個別に制御される。
【００４７】
さらに、図２（ａ）に示すように、天井裏空間３１の熱気通路３２には、排気口２６から回収した空気を空調機３０側に送風するための補助ファン４４が設けられる。例えば、熱気通路３２内に柱や梁が突出している場合などには、排気口２６から回収した空気の一部が滞留してしまう場合が考えられるが、補助ファン４４を設けることにより、このような空気の滞留を抑制することが可能になる。補助ファン４４は、熱気の溜まりやすい熱気通路３２の上部に設けられることが望ましく、かつ、空調機３０からある程度離れた位置の熱気通路３２に設けられることが望ましい。なお、補助ファン４４は必須ではなく、省略可能である。
【００４８】
データセンタ１０では、ホットゾーン２４内の空気は、排気口２６に回収され、熱気通路３２、熱気用連通穴３８、熱気ヘッダ部３４、熱気吸込開口４０を通って、空調機３０に回収される。このとき、ホットゾーン２４内の空気は、電子機器１１により加熱されており自然に上昇するため、容易に空調機３０に回収することができる。ホットゾーン２４内の温度は、例えば、３５〜４０℃程度である。
【００４９】
空調機３０の冷却コイル４５を通過して冷却された空調空気は、吹出口２７のファン４３により吸引されて、空調機吹出開口４１を介して空調空気ヘッダ部３５に流入し、空調空気ヘッダ部３５にて分配されて、空調空気用連通穴３９、空調空気通路３３を通って吹出口２７から空調室１３内に吹き出される。空調室１３内の空調空気の温度は、例えば、２３℃程度である。
【００５０】
空調室１３内に吹き出された空調空気は、ラック列１５の前面Ｆから導入され、ラック１２内の電子機器１１で発生した熱を除去（吸収）した後、ラック列１５の背面Ｒからホットゾーン２４内に導入される。
【００５１】
本実施の形態の作用を説明する。
【００５２】
本実施の形態に係るデータセンタ１０では、天井裏空間３１に、排気口２６から回収した空気を空調機３０に導く熱気通路３２と、熱気通路３２を挟むように区画され、空調機３０からの空調空気を吹出口２７に導く空調空気通路３３と、を区画形成し、かつ、空調機３０側の天井裏空間３１に、天井裏空間３１を上下に区画して、熱気通路３２が接続され、熱気通路３２からの空気を空調機３０に導く熱気ヘッダ部３４と、熱気ヘッダ部３４の下方に区画され、空調空気通路３３が接続され、空調機３０からの空調空気を空調空気通路３３に分配する空調空気ヘッダ部３５と、を区画形成している。
【００５３】
空調空気ヘッダ部３５を形成することにより、空調機３０からの空調空気を両空調空気通路３３に分配することが可能となり、１台の空調機３０で両ラック列１５の前方の天井２０に設けられた吹出口２７から空調空気を吹き出すことが可能となり、設備コストを抑制できる。
【００５４】
また、熱気ヘッダ部３４を上方に、空調空気ヘッダ部３５を下方に区画形成することで、排気口２６から回収した熱気は自然に熱気通路３２の上方に集まるので、熱気ヘッダ部３４を介して熱気を容易に空調機３０に回収できる。つまり、本発明によれば、自然対流を利用してホットゾーン２４内の熱気を回収でき、熱気を回収しやすい。
【００５５】
さらに、データセンタ１０では、空調室１３の天井２０を、断熱構造の天井材で構成し、かつ、熱気通路３２と、空調空気通路３３と、熱気ヘッダ部３４と、空調空気ヘッダ部３５とを、断熱構造の仕切板３６ａ〜３６ｃを用いて区画形成している。これにより、ホットゾーン２４からの熱が天井２０を介して空調空気通路３３や空調空気ヘッダ部３５に伝わることがなくなり、かつ、熱気通路３２や熱気ヘッダ部３４からの熱が空調空気通路３３や空調空気ヘッダ部３５に伝わることもなくなる。よって、冷却効率を向上させ、省エネルギー性を向上させることができる。
【００５６】
また、データセンタ１０では、空調機３０を、その空調空気吹出口が空調空気ヘッダ部３５と同レベルとなるように設けているため、ホットゾーン２４内の熱を自然対流の原理で空調機３０に回収し、かつ、空調機３０からの空調空気を不必要に上昇させることなく、自然対流の原理で、空調空気ヘッダ部３５と空調空気通路３３を介して吹出口２７からラック列１５に対して供給できる。そのため、空気を循環させるために必要なエネルギーを大幅に低減でき、省エネルギー性をより向上できる。
【００５７】
さらに、データセンタ１０では、吹出口２７のそれぞれに空調室１３に空調空気を吹き出すためのファン４３を設け、空調機３０として、ファンを有さないファンレスの空調機を用いている。吹出口２７のそれぞれにファン４３を設けることにより、ラック１２内の発熱量に応じて、各ラック１２に対する空調空気の供給量を個別に調整することが可能となり、例えば、発熱量の少ないラック１２に対しては空調空気の供給量を減らすなどの対応が可能となるので、各ラック１２に対する冷却効果を十分に維持しつつ、省エネルギー性をより向上させることが可能となる。
【００５８】
さらにまた、データセンタ１０では、熱気通路３２に、排気口２６から回収した空気を空調機３０側に送風するための補助ファン４４を設けているため、熱気通路３２内に柱や梁が突出している場合でも、排気口２６から回収した空気の一部が熱気通路３２内に滞留してしまうことを抑制できる。
【００５９】
次に、本発明の他の実施の形態を説明する。
【００６０】
図５，６に示すデータセンタ７１は、図１〜４で説明したデータセンタ１０において、空調室１３内にホットゾーン２４を複数（ここでは３つ）区画し、天井裏空間３１に、ホットゾーン２４に対応した複数（ここでは３つ）の熱気通路３２を区画形成し、各熱気通路３２を熱気ヘッダ部３４に接続するようにしたものである。
【００６１】
データセンタ７１では、ホットゾーン２４に挟まれた空調室１３の天井２０には、ラック列１５における２台のラック１２ごと（空調室１３を挟んで対向配置された４台のラック１２ごと）に共通の１つの吹出口２７を形成し、合計７つの吹出口２７を、ラック列１５におけるラック１２の配列方向に整列して形成した。
【００６２】
データセンタ７１では、各吹出口２７の列と各排気口２６の列とに対応して、天井裏空間３１に熱気通路３２と空調空気通路３３とが交互に区画形成される。各熱気通路３２は、共通の熱気ヘッダ部３４に接続され、各空調空気通路３３は、共通の空調空気ヘッダ部３５に接続される。
【００６３】
また、データセンタ７１では、３つのホットゾーン２４に対応して、３台の空調機３０を備えている。各空調機３０は、その吸込口が、側壁２８に設けられた熱気吸込開口４０を介して共通の熱気ヘッダ部３４に接続され、その空調空気吹出口が、側壁２８に設けられた空調空気吹出開口４１を介して共通の空調空気ヘッダ部３５に接続されている。
【００６４】
データセンタ７１によれば、空調室１３内にホットゾーン２４を複数区画した場合であっても、各ホットゾーン２４からの空気を熱気ヘッダ部３４に集合させ、各空調機３０に分配して冷却させることができ、かつ、各空調機３０からの空調空気を、空調空気ヘッダ部３５に集合させ、各空調空気通路３３に分配して吹出口２７から空調室１３内に吹き出すことができる。
【００６５】
なお、ここでは空調機３０を３台備える場合を説明したが、空調機３０の台数はこれに限定されるものではない。また、３台の空調機３０を備える場合でも、全ての空調機３０を常に稼働させる必要はなく、空調室１３内に配置されたラック１２での発熱量が少ない場合などは、１台または２台のみの空調機３０を稼働させればよい。つまり、データセンタ７１によれば、空調室１３内に配置されたラック１２での発熱量に応じて稼働させる空調機３０の台数を調節することが可能となり、省エネルギー性をより向上させることが可能である。
【００６６】
本発明は上記実施の形態に限定されるものではなく、本発明の趣旨を逸脱しない範囲で種々の変更を加え得ることは勿論である。
【００６７】
例えば、上記実施の形態では、ラック列１５のラック１２の配列方向において２台のラック１２ごとに排気口２６と吹出口２７を形成する場合を説明したが、排気口２６と吹出口２７を形成する間隔はこれに限定されない。
【００６８】
また、上記実施の形態では、空調機３０としてファンレスの空調機を用いる場合を説明したが、ファンを有する空調機を用いても問題ない。
【００６９】
さらに、上記実施の形態では、空調機３０を、空調空気吹出口４１が空調空気ヘッダ部３５と同レベルとなるように設けたが、空調機３０を、空調空気吹出口４１が空調空気ヘッダ部３５よりも低いレベルとなるように設けた場合であっても、当然ながら本発明の技術範囲に含まれる。
【００７０】
さらにまた、上記実施の形態では、ヘッダ部３４，３５をホットゾーン２４の上方にかからないように区画形成したが、ヘッダ部３４，３５をホットゾーン２４の上方にかかるように区画形成してもよい。また、空調空気ヘッダ部３５に吹出口２７を形成してもよい。
【００７１】
また、上記実施の形態では、ヘッダ部３４，３５が空調機３０側の天井裏空間に収まるように区画形成されていたが、天井裏空間からはみ出して、形成しても良い。
【符号の説明】
【００７２】
１０  データセンタ
１１  電子機器
１２  ラック
１３  空調室
１４  床面
１５  ラック列
２０  天井
２１  パネル
２３  パーティション
２４  ホットゾーン
２６  排気口
２７  吹出口
３０  空調機
３１  天井裏空間
３２  熱気通路
３３  空調空気通路
３４  熱気ヘッダ部
３５  空調空気ヘッダ部
【図１】
2012017934.tif 000003
【図２】
2012017934.tif 000004
【図３】
2012017934.tif 000005
【図４】
2012017934.tif 000006
【図５】
2012017934.tif 000007
【図６】
2012017934.tif 000008